(57)【特許請求の範囲】
【請求項１】
所定の情報を表示する表示部と、スピーカと、半導体メモリとを有し、音声情報を上記半導体メモリに記録するとともに、上記半導体メモリに記録された音声情報を上記スピーカより再生可能に構成した音声記録再生装置であって、
電源としての円筒形の２つの電池が上記スピーカを中心にして略対象に配置されたときに上記２つの電池の間に位置するように設けられた回路基板を有するとともに、
上記音声記録再生装置を正面から見たときに、上記スピーカの振動部と上記の位置に配置された電池とが一部で重なり合うように上記スピーカを配置したことを特徴とする音声記録再生装置。
【請求項２】
上記音声記録再生装置を正面から見たときに、上記表示部を該音声記録再生装置の上部に配置し、この表示部の下方に上記スピーカを配置したことを特徴とする請求項１に記載の音声記録再生装置。
【請求項３】
所定の情報を表示する表示部とスピーカと半導体メモリを有し、音声情報を上記半導体メモリに記録するとともに、上記半導体メモリに記録された音声情報を上記スピーカより再生可能に構成した音声記録再生装置であって、電源としての円筒形の２つの電池を、該音声記録再生装置の両脇に個々に配置したことを特徴とする音声記録再生装置。
【発明の詳細な説明】
【０００１】
【発明の属する技術分野】
本発明は音声を記録あるいは再生可能な音声記録再生装置に関するものである。
【０００２】
【従来の技術】
近年、音声信号をデジタルデータに変換した後、書き換え可能な記憶媒体としてのフラッシュメモリに記憶し、前記フラッシュメモリに記憶された音声データをアナログ化して再生する携帯型の音声記録再生装置（以下、ＩＣレコーダと呼ぶ）が実用化されている。
【０００３】
これらＩＣレコーダは概して、ＩＣレコーダ本体の外箱と、動作状況を表示するための液晶表示部（液晶表示パネル）と、音声を出力するためのスピーカと、音声を入力するためのマイクと、電気的な処理をするための回路素子を搭載した基板と、電源供給源としての電池等によって構成されている。
【０００４】
ＩＣレコーダの中には、動作可能時間を長くするために電源供給源としての電池を２個用いているものもあり、この２個の電池を装置内にどのように配置するかについて従来より種々の方法がとられている。あるＩＣレコーダでは２本の電池を装置の長手方向に沿って直列配置している。また、他のＩＣレコーダにおいては、液晶表示部の幅を広くとるために２本の電池を装置の裏部に並列配置している。
【０００５】
図６（Ａ）、（Ｂ）は装置の裏部に２本の電池を配置する場合の一例を示している。ここでは装置の表部に液晶表示パネル２００が配置され、その下方にはスピーカ２０２が配置されている。さらにメイン基板２０１を挟んでスピーカ２０２と向かい合うように２本の電池２０３−１及び２０３−２が並列に配置されている。２０４は上記スピーカ２０２のコア部であり、２０５は振動部である。
【０００６】
【発明が解決しようとする課題】
上記した従来技術において、２本の電池をレコーダの長手方向に沿って直列配置した場合には、通常、装置の上部に配置される液晶表示部の幅が制限されてしまう。また、２本の電池を装置の下部に並列配置した場合には、図６（Ｂ）に示すように、電池の配置される空間とスピーカが占有する空間とにより装置の厚みが厚くなってしまう。
【０００７】
本発明はこのような課題に着目してなされたものであり、その第１の目的は、装置の薄型化、小型化を達成可能な音声記録再生装置を提供することにある。
【０００８】
また、第２の目的は、加えて表示部の幅を大きくとることができる音声記録再生装置を提供することにある。
【０００９】
【課題を解決するための手段】
上記の目的を達成するために、第１の発明は、所定の情報を表示する表示部と、スピーカと、半導体メモリとを有し、音声情報を上記半導体メモリに記録するとともに、上記半導体メモリに記録された音声情報を上記スピーカより再生可能に構成した音声記録再生装置であって、電源としての円筒形の２つの電池が上記スピーカを中心にして略対象に配置されたときに上記２つの電池の間に位置するように設けられた回路基板を有するとともに、上記音声記録再生装置を正面から見たときに、上記スピーカの振動部と上記の位置に配置された電池とが一部で重なり合うように上記スピーカを配置する。
【００１０】
また、第２の発明は第１の発明に係る音声記録再生装置において、上記音声記録再生装置を正面から見たときに、上記表示部を該音声記録再生装置の上部に配置し、この表示部の下方に上記スピーカを配置する。
【００１１】
また、第３の発明は、所定の情報を表示する表示部とスピーカと半導体メモリを有し、音声情報を上記半導体メモリに記録するとともに、上記半導体メモリに記録された音声情報を上記スピーカより再生可能に構成した音声記録再生装置であって、電源としての円筒形の２つの電池を、該音声記録再生装置の両脇に個々に配置する。
【００１３】
【発明の実施の形態】
以下、図面を参照して本発明の実施形態を詳細に説明する。ここでは本発明の音声記録再生装置をＩＣレコーダに適用して説明を行う。本ＩＣレコーダは所定の情報を表示する液晶表示部とスピーカと半導体メモリを有し、音声情報を上記半導体メモリに記憶するとともに、上記半導体メモリに記録された音声情報を上記スピーカより再生可能に構成されている。本実施形態ではこのような構成のＩＣレコーダにおいて、電源としての円筒形の２つの電池を、上記スピーカを中心にして略対称に配置、言い換えると、電源としての円筒形の電池を上記スピーカを挟む位置に２つ配置したことを特徴とする。
【００１４】
図１は本発明の一実施形態の概略を説明するための図であり、ＩＣレコーダを正面から見たときのようすを示している。実線以外の線で示す部分は装置の内部に配置されていることを表している。
【００１５】
図１に示すように、ラケット状の外形２を有するメイン基板が装置上部及び下部に渡って配置されている。装置下部に位置するラケットの柄の部分は、装置上部に位置するラケット本体と比較して幅が小さくなっており、これによって装置下部の両脇には基板のない空間が形成されている。
【００１６】
装置上部には液晶表示パネル１が配置されるとともに、この液晶表示パネル１の下方にはスピーカコア部３及びスピーカ振動部６を有するスピーカ４が配置されている。さらに装置下部の基板のない上記空間には円筒形の２つの電池５−１，５−２がスピーカ４を中心にして略対称に配置されている。電池５−１，５−２を装着した状態では、電池５−１，５−２は液晶表示パネル１とスピーカ４の配列方向に対して略平行になる。また図１からわかるように、装置を正面から見て、電池５−１，５−２はスピーカ振動部６と一部で重なり合うが、スピーカコア部３とは重なり合うことはない。
【００１７】
図２は本実施形態のＩＣレコーダの概観斜視図である。図２に示すように、この実施形態によるＩＣレコーダの外装部材となる本体１０１は、偏平薄型の縦長形状にして略直方体形状による多面体として構成されている。そして、この本体１０１の正面部パネル面の上部に設けられた記録（録音、ＲＥＣ）ボタン１０２は、当該本体１０１の上側面部に設けられた内蔵のマイクロホン９から入力される音声信号を不図示の音声データ変換回路を介して音声データに変換し、その音声データを不図示の不揮発性の半導体メモリに記録するための記録動作の開始を指示する、すなわち録音動作の開始を指示するボタンである。
【００１８】
また、前記本体１０１の正面部パネル面における前記記録（録音、ＲＥＣ）ボタン１０２の図示右脇に設けられた再生（ＰＬＡＹ）ボタン１０３は、上述の半導体メモリ内に記録されている音声データを不図示の音声信号変換回路を用いて音声信号に変換し、その音声信号を前記本体１０１の正面部パネル面の下部に設けられたスピーカ１１３を介して再生するための再生動作の開始を指示するボタンである。
【００１９】
また、前記本体１０１の正面部パネル面における前記再生（ＰＬＡＹ）ボタン１０３の図示下側に設けられた停止（ＳＴＯＰ）ボタン１０４は、上述の記録（録音、ＲＥＣ）ボタン１０２または再生（ＰＬＡＹ）ボタン１０３による録音または再生動作の停止を指示するボタンである。
【００２０】
この停止（ＳＴＯＰ）ボタン１０４は、使用頻度が比較的高いために、操作し易いようにその周りに配置された操作ボタンよりも大きいボタンとなっている。
【００２１】
また、前記本体１０１の正面部パネル面における前記停止（ＳＴＯＰ）ボタン１０４の図示左下側に設けられた逆スキップ（早戻し再生、−）ボタン１０５は、録音または再生動作の停止中に操作されることによって、上述の半導体メモリ内の再生対象音声データを一つ前の順番の音声データにすることを指示するとともに、再生動作中に操作されることによって早戻し再生動作を行うことを指示するためのボタンである。
【００２２】
また、前記本体１０１の正面部パネル面における前記停止（ＳＴＯＰ）ボタン１０４の図示右下側に設けられた早送りボタン（＋）１０６は、前記逆スキップ（早戻し再生、−）ボタン１０５とは逆の動作、すなわち、録音または再生動作が停止中に操作されることによって上述の半導体メモリ内の再生対象音声データを一つ先の順番の音声データにすることを指示するとともに、再生動作中に操作されることによって、早送り再生動作を行うことを指示するためのボタンである。
【００２３】
そして、前記本体１０１の正面部パネル面における前記停止（ＳＴＯＰ）ボタン１０４の図示左側に設けられた消去（ＥＲＡＳＥ）ボタン１０８は、上述の半導体メモリ内で選択されている不要な音声データを消去することを指示するためのボタンである。
【００２４】
また、前記本体１０１の正面部パネル面における前記停止（ＳＴＯＰ）ボタン１０４の図示真下側に設けられたメニュー／フォルダ（ＭＥＮＵ／ＦＯＬＤＥＲ）ボタン１０７は、各種環境設定を行うことを指示するためのボタンである。
【００２５】
詳しくは、このメニュー／フォルダ（ＭＥＮＵ／ＦＯＬＤＥＲ）ボタン１０７による各種環境設定とは、時計機能の時間設定、記録音質の設定（高音質のＳＰモ−ド／該ＳＰモードと比較して低音質だが長時間録音が可能なＬＰモード）、操作音のＯＮ／ＯＦＦ、音声起動録音機能（音声の入力レべルが一定レベル以上になると録音を開始する機能）、マイクロホン感度の設定（高感度／低感度）、アラームの設定等である。
【００２６】
なお、これらの設定はメニュー／フォルダ（ＭＥＮＵ／ＦＯＬＤＥＲ）ボタン１０７を押すことによって、設定項目を選択し、逆スキップ（早戻し、−）ボタン１０５と早送りボタン（＋）１０６を用いて各設定項目の内容を変更するようにして行われる。
【００２７】
また、前記本体１０１の正面部パネル面における図示最上部となる一端側には、液晶表示パネル１が設けられており、当該ＩＣレコーダに関する各種の情報が表示される。
【００２８】
また、当該本体１０１の上側面部に設けられた出力端子（ＥＡＲ）１１０には、イヤホンやヘッドホンまたは外部スピーカ等の外部再生装置を接続することができ、外部装置に対して音声信号を出力するものである。
【００２９】
また、当該本体１０１の上側面部に設けられた入力端子（ＭＩＣ）１１１は、上記内蔵のマイクロホン９の代わりに外部マイクロホンや他の外部機器等を接続して、外部装置から音声信号を入力するための端子である。
【００３０】
また、当該本体１０１の右側面部に設けられた音量つまみ（ＶＯＬ）１１４は、当該本体１０１の最下端部に設けられている内蔵のスピーカ１１３からの再生音量、あるいは前記出力端子（ＥＡＲ）１１０からの信号の出力レベルを調節するための回転式部材である。
【００３１】
また、前記本体１０１の正面部パネル面における第１の平面１１５は、前記早戻しボタン１０５、メニューボタン１０７および消去ボタン１０８等の操作スイッチとスピーカ１１３を含んだ平面である。
【００３２】
また、前記本体１０１の正面部パネル面における第２の平面１１６は、前記録音ボタン１０２、再生ボタン１０３、停止ボタン１０４、および早送りボタン１０６等の操作スイッチと、液晶表示パネル１を含んだ平面である。
【００３３】
これらの第１の平面１１５および第２の平面１１６とは、それぞれ、互いに略平行である。但し、第２の平面１１６の方が第１の平面１１５よりも約１ｍｍほど低くなっている。
【００３４】
このため、これらの第１の平面１１５および第２の平面１１６とを接続する段差部１１７が、図に示すように、液晶表示パネル１の左側から各ボタンとの間を通り、スピーカ１１３の右側に至るまで、本体１０１の正面部パネル面から見て左上方から右下方に向けて斜めに形成されている。この段差部１１７は、操作者が指先の感覚だけで、各操作ボタンの配置関係を区別することができるようにするためのガイドラインとなるものであるが、本発明の趣旨とは直接的に関係がないので、詳細は本発明と同一出願人による特願平１１−３３３３２５号の記載によるものとする。
【００３５】
また、前記本体１０１の左側面上部には、使用者が、当該ＩＣレコーダを胸ポケットに入れて使用するときに、当該ＩＣレコーダを胸ポケットに固定するための挟み込み用としてのクリップ１２１が設けられている。
【００３６】
そして、前記本体１０１の正面部パネル面から見て右上方および本体１０１の上側面部における右手前には、それぞれ、独立した透孔による第１および第２の光通過部１２２、１２３が形成されている。これらの第１および第２の光通過部１２２、１２３は、それぞれ、図示せぬ導光手段を介して光源からの光を通過させることにより、当該ＩＣレコーダの動作状態を表示するためのインジケータ（表示機構）を構成する。
【００３７】
図３は本実施形態のＩＣレコーダを背面から見たときのようすを示す図であり、電池蓋を外した状態を示している。また、図４は、ＩＣレコーダを図２に示すＡ−Ａ´線に沿って切断したときの断面図である。図４において上側が装置の前面であり、下側が装置の背面である。前面には前カバー７が配置され、背面には電池蓋８が配置されており、これらは外装部材となっている。
【００３８】
図４に示すように、スピーカコア部３及びスピーカ振動部６を有するスピーカ４は装置の前方に配置され、このスピーカ４の後方にはメイン基板２ａが配置されている。電源としての円筒形の電池５−１、５−２は比較的薄いスピーカ振動部６と一部重なって配置されるが、厚みのあるスピーカコア部３とは重ならないように配置されている。これによって電池５−１、５−２とスピーカコア部３とを略直線上に配置することを可能にし薄型化を達成している。また、電池５−１、５−２の近辺にはメイン基板２ａがないので、電池５−１、５−２が配置されている部分の装置の厚みを薄くすることができる。
【００３９】
図５は本実施形態のＩＣレコーダを背面から見たときのようすを示す図であり、裏蓋をすべて外した状態を示している。この状態ではメイン基板２ａと電池５−１、５−２とが見えるが、液晶表示パネル１とスピーカ４（スピーカコア部３、スピーカ振動部６）は前方に配置されており、見えない状態なので点線で示されている。メイン基板２ａ上には、半導体メモリ１０が実装されている。
【００４０】
装置上部には液晶表示パネル１が配置されており、装置下部のメイン基板２ａの存在しない空間には電池５−１，５−２が配置されている。図５は電池５−１，５−２と、スピーカ４（スピーカコア部３、スピーカ振動部６）との位置関係を特によく示しており、電池５−１，５−２とスピーカコア部３とは重なる部分はなく、電池５−１，５−２とスピーカ振動部６とが一部で重なるように配置されている。
【００４１】
以上、上記した実施形態によれば、電源としての円筒形の２つの電池５−１，５−２をスピーカ４を中心にして略対称に配置、より具体的には、２つの電池５−１，５−２を厚みのあるスピーカコア部３を間に挟んで直線状に配置したので、装置の薄型化を達成することができる。また、２つの電池５−１，５−２が配置されている部分には基板が存在しないので、装置の厚みが基板の厚さだけ厚くなってしまうことを防止することができる。
【００４２】
また、ＩＣレコーダを正面から見て、液晶表示パネル１を装置の上部に配置するとともに、液晶表示パネル１の下方にスピーカ４を配置したので、液晶表示パネル１の幅を大きくとることができ、これによって視認性を向上させかつ表示情報量を増加させることができる。
【００４３】
さらに、装置を正面から見て、スピーカ振動部６と２つの電池５−１，５−２とが一部で重なり合うように配置したので、装置のさらなる小型化を達成することができる。
【００４４】
（付記）
なお、上記した具体的実施形態から以下のような構成の発明が抽出される。
【００４５】
（１）スピーカと半導体メモリを有し、上記半導体メモリに記録された音声情報を上記スピーカにより再生可能に構成した音声記録再生装置において、
電源としての円筒形の電池を、上記スピーカを挟む位置に２つ配置したことを特徴とする音声記録再生装置。
【００４６】
（２）上記音声記録再生装置を正面から見たときに、上記スピーカの振動部と上記電池とが一部で重なり合うように上記電池を配置した上記（１）の音声記録再生装置。
【００４７】
（３）マイクを有し、このマイクの出力を上記半導体メモリに記録するとともに、上記半導体メモリに記録された音声情報を上記スピーカより再生可能に構成した上記（１）の音声記録再生装置。
【００４８】
（４）所定の情報を表示する表示部をさらに有し、この表示部を上記音声記録再生装置を正面から見て該音声記録再生装置の上部に配置するとともに、前記表示部の下方に上記スピーカを配置した上記（１）の音声記録再生装置。
【００４９】
（５）上記２つの電池は、上記表示部と上記スピーカの配列方向に対して略平行に配置されている上記（４）の音声記録再生装置。
【００５０】
【発明の効果】
請求項１または請求項４に記載の発明によれば、装置の薄型化を達成することができる。
【００５１】
また、請求項２に記載の発明によれば、請求項１に記載の発明の効果に加えて、表示部の幅を大きく取れるという効果を有する。
【００５２】
また、請求項３に記載の発明によれば、請求項１に記載の発明の効果に加えて、装置のさらなる小型化を達成することができる。
【図面の簡単な説明】
【図１】本発明の一実施形態の概略を説明するための図であり、ＩＣレコーダを正面から見たときのようすを示している。
【図２】本実施形態のＩＣレコーダの概観斜視図である。
【図３】本実施形態のＩＣレコーダを背面から見たときのようすを示す図であり、電池蓋を外した状態を示している。
【図４】ＩＣレコーダを図２に示すＡ−Ａ´線に沿って切断したときの断面図である。
【図５】本実施形態のＩＣレコーダを背面から見たときのようすを示す図であり、裏蓋をすべて外した状態を示している。
【図６】２本の電池を装置内に配置する従来例について説明するための図である。
【符号の説明】
１  液晶表示パネル
２  メイン基板外形
２ａ  メイン基板
３  スピーカコア部
４  スピーカ
５−１  電池
５−２  電池
６  スピーカ振動部
７  前カバー
８  電池蓋
９  内蔵マイク
１０  半導体メモリ
【図１】
0004436519.tif 000002
【図２】
0004436519.tif 000003
【図３】
0004436519.tif 000004
【図４】
0004436519.tif 000005
【図５】
0004436519.tif 000006
【図６】
0004436519.tif 000007